(57)【要約】【課題】  不正行為により回動体に外力が加えられて入賞率が相対的に低くなる位置から高くなる位置に強制的に回動されても、遊技球の入賞を阻止して賞球の不正な獲得を防止することができ、また入賞率の高低変化に関与することによって遊技に対する興趣を高めることも可能な遊技機用可変入賞装置と、それを用いた遊技機を提供する。【解決手段】  通常時において、不正行為により回動翼片３０，３０に外力Ｆが加えられ、第一位置（閉鎖位置）から第二位置（開放位置）に強制的に回動されても、入賞口５が下向きの規制位置にあり、玉樋４０が上方の退避位置にある状況は変わらないので、不正行為による賞球の不正獲得が防止される。【選択図】  図７
2008142193.tif 000002
【特許請求の範囲】
【請求項１】
遊技盤の盤面に固定状態で取り付けられ、厚み方向に貫通孔が形成された固定台板と、
前記遊技盤上の遊技球を受け入れるための入賞口を有し、前記固定台板の内周側においてその固定台板に交差する回転軸線周りに回転可能に保持され、所定の回転角度範囲において遊技球の入賞を規制する規制位置と残余の回転角度範囲においてその入賞規制を解除する解除位置との間で前記入賞口の位置を回転変更する回転台板と、
その回転台板に対して回動軸線周りに回動可能に取り付けられ、遊技球の入賞率が相対的に低くなる第一位置とその入賞率が相対的に高くなる第二位置との間で回動することによって前記入賞口の開口態様を変更する回動体と、
前記固定台板に固定支持され、前記回転台板を前記規制位置と解除位置との間で回転駆動する台板アクチュエータと、
前記固定台板に固定支持され、前記回動体を前記第一位置と第二位置との間で回動変位させる回動体アクチュエータとを備え、
前記台板アクチュエータの駆動回転によって前記入賞口の位置が前記解除位置になるように前記回転台板が回転・停止したとき、前記回動体アクチュエータの作動によって前記回動体は前記第二位置に保持される一方、
前記入賞口の位置が前記規制位置になるように前記回転台板が回転・停止したとき、前記回動体は前記第一位置に保持されて遊技球の入賞が阻止されることを特徴とする遊技機用可変入賞装置。
【請求項２】
遊技盤の盤面に固定状態で取り付けられ、厚み方向に貫通孔が形成されるとともに、前記遊技盤上の遊技球が入賞口に入賞したことを検知するための検出センサが取り付けられた固定台板と、
前記入賞口に入賞した入賞球を前記検出センサに案内するための案内通路を有し、前記固定台板の内周側においてその固定台板に交差する回転軸線周りに回転可能に保持され、所定の回転角度範囲において入賞球の案内を中止する退避位置と残余の回転角度範囲においてその案内中止を解除する案内位置との間で前記案内通路の位置を回転変更する回転台板と、
その回転台板に対して回動軸線周りに回動可能に取り付けられ、遊技球の入賞率が相対的に低くなる第一位置とその入賞率が相対的に高くなる第二位置との間で回動することによって前記入賞口の開口態様を変更する回動体と、
前記固定台板に固定支持され、前記回転台板を前記退避位置と案内位置との間で回転駆動する台板アクチュエータと、
前記固定台板に固定支持され、前記回動体を前記第一位置と第二位置との間で回動変位させる回動体アクチュエータとを備え、
前記台板アクチュエータの駆動回転によって前記案内通路の位置が前記案内位置になるように前記回転台板が回転・停止したとき、前記回動体アクチュエータの作動によって前記回動体は前記第二位置に保持される一方、
前記案内通路の位置が前記退避位置になるように前記回転台板が回転・停止したとき、前記回動体は前記第一位置に保持されて遊技球の入賞が阻止されることを特徴とする遊技機用可変入賞装置。
【請求項３】
前記回動体と回動体アクチュエータとの間には、その回動体アクチュエータの駆動部の直線的な移動を前記回動体の回転移動に変換して伝達する回動体伝動機構を備え、
その回動体伝動機構は、前記回転台板に取り付けられた回動体とともに、前記台板アクチュエータによって一体的に回転する請求項１又は２に記載の遊技機用可変入賞装置。
【請求項４】
前記回動体アクチュエータの駆動部は前記回転台板の回転軸線に沿って直線的に往復移動し、
前記回動体伝動機構は前記回転台板の回転面と平行状に配置された揺動軸線周りで揺動する請求項３に記載の遊技機用可変入賞装置。
【請求項５】
前記回動体アクチュエータの駆動部は前記固定台板又は回転台板と平行状に半径方向に沿って直線的に往復移動し、
前記回動体伝動機構は前記固定台板又は回転台板に沿って半径方向に往復移動する請求項３に記載の遊技機用可変入賞装置。
【請求項６】
請求項１ないし５のいずれか１項に記載の遊技機用可変入賞装置の固定台板が前記遊技盤に固定配置されたことを特徴とする遊技機。
【発明の詳細な説明】
【技術分野】
【０００１】
本発明は、遊技機用可変入賞装置及びそれを搭載した遊技機に関する。
【背景技術】
【０００２】
従来より、例えば電動チューリップと称される遊技機用可変入賞装置では、一対の回動翼片（いわゆるチューリップ；回動体）が伝動アーム等の伝動機構を介してソレノイド等のアクチュエータに連結され、アクチュエータの駆動力によって開閉作動する。そして、このような入賞装置の機能は、一対の回動翼片間に形成される入賞口、或いは別の入賞口に遊技球が入球したことに起因して、例えば大当たりとなり回動翼片が開放されると、その回動翼片の間に位置する入賞口に球が入りやすくなる（入賞率が相対的に高くなる）ことである。このように、回動翼片の開閉に伴って入賞率が変動するので、払い出される賞球数（出玉数）も変動する。
【０００３】
見方を変えると、入賞装置は賞球払出に直接関与するために不正行為（通称ゴト行為）の標的となり易い。例えば、遊技機内に針金等の異物を挿入し回動翼片を強制的に開放位置に移動する不正行為によって、大量の賞球が不正に獲得されるおそれがある。
【０００４】
ところで、特許文献１には、遊技盤に固定された球受枠（入賞口）の上方において、入賞口を開放して遊技球を入賞ガイドする状態（開放状態）と、入賞口を塞いで外方へ導く状態（閉鎖状態）とに回転変位する一対の翼状ガイド部材を設けることが開示されている。また、特許文献２には、遊技盤に固定された入賞口部と重なり合う形態で、入賞口部を開放して遊技球を入賞ガイドする状態（第１状態）と、入賞口部を閉鎖して入賞阻止する状態（第２状態）とに回転変位する切欠付き板状ガイド部材を設けることが開示されている。
【０００５】
【特許文献１】特開平６−１５４３９１号公報
【特許文献２】特開２０００−３７５２６号公報
【０００６】
これらの技術によれば、例えば、大当たり状態（特定利益状態）において翼状ガイド部材（切欠付き板状ガイド部材）を開放状態（第１状態）に位置させ、非大当たり状態（非特定利益状態）において閉鎖状態（第２状態）に位置させることによって、新たな興趣を付与することができる。ところが、このような可動式のガイド部材を固定式の入賞口に付設する場合でも、電動チューリップの回動翼片と同様に、上記したような不正行為によってガイド部材が強制的に開放位置に移動されると、大量の賞球が不正に獲得される可能性（危険性）は依然として解決できていない。
【発明の開示】
【発明が解決しようとする課題】
【０００７】
本発明の課題は、不正行為により回動体に外力が加えられて入賞率が相対的に低くなる位置から高くなる位置に強制的に回動されても、遊技球の入賞を阻止して賞球の不正な獲得を防止することができ、また入賞率の高低変化に関与することによって遊技に対する興趣を高めることも可能な遊技機用可変入賞装置と、それを用いた遊技機を提供することにある。
【課題を解決するための手段及び発明の効果】
【０００８】
上記課題を解決するために、本発明の遊技機用可変入賞装置は、
遊技盤の盤面に固定状態で取り付けられ、厚み方向に貫通孔が形成された固定台板と、
前記遊技盤上の遊技球を受け入れるための入賞口を有し、前記固定台板の内周側においてその固定台板に交差する回転軸線周りに回転可能に保持され、所定の回転角度範囲において遊技球の入賞を規制する規制位置と残余の回転角度範囲においてその入賞規制を解除する解除位置との間で前記入賞口の位置を回転変更する回転台板と、
その回転台板に対して回動軸線周りに回動可能に取り付けられ、遊技球の入賞率が相対的に低くなる第一位置とその入賞率が相対的に高くなる第二位置との間で回動することによって前記入賞口の開口態様を変更する回動体と、
前記固定台板に固定支持され、前記回転台板を前記規制位置と解除位置との間で回転駆動する台板アクチュエータと、
前記固定台板に固定支持され、前記回動体を前記第一位置と第二位置との間で回動変位させる回動体アクチュエータとを備え、
前記台板アクチュエータの駆動回転によって前記入賞口の位置が前記解除位置になるように前記回転台板が回転・停止したとき、前記回動体アクチュエータの作動によって前記回動体は前記第二位置に保持される一方、
前記入賞口の位置が前記規制位置になるように前記回転台板が回転・停止したとき、前記回動体は前記第一位置に保持されて遊技球の入賞が阻止されることを特徴とする。
【０００９】
また、上記課題を解決するために、本発明の遊技機用可変入賞装置は、
遊技盤の盤面に固定状態で取り付けられ、厚み方向に貫通孔が形成されるとともに、前記遊技盤上の遊技球が入賞口に入賞したことを検知するための検出センサが取り付けられた固定台板と、
前記入賞口に入賞した入賞球を前記検出センサに案内するための案内通路を有し、前記固定台板の内周側においてその固定台板に交差する回転軸線周りに回転可能に保持され、所定の回転角度範囲において入賞球の案内を中止する退避位置と残余の回転角度範囲においてその案内中止を解除する案内位置との間で前記案内通路の位置を回転変更する回転台板と、
その回転台板に対して回動軸線周りに回動可能に取り付けられ、遊技球の入賞率が相対的に低くなる第一位置とその入賞率が相対的に高くなる第二位置との間で回動することによって前記入賞口の開口態様を変更する回動体と、
前記固定台板に固定支持され、前記回転台板を前記退避位置と案内位置との間で回転駆動する台板アクチュエータと、
前記固定台板に固定支持され、前記回動体を前記第一位置と第二位置との間で回動変位させる回動体アクチュエータとを備え、
前記台板アクチュエータの駆動回転によって前記案内通路の位置が前記案内位置になるように前記回転台板が回転・停止したとき、前記回動体アクチュエータの作動によって前記回動体は前記第二位置に保持される一方、
前記案内通路の位置が前記退避位置になるように前記回転台板が回転・停止したとき、前記回動体は前記第一位置に保持されて遊技球の入賞が阻止されることを特徴とする。
【００１０】
これらの遊技機用可変入賞装置では、台板アクチュエータの駆動回転によって入賞口（案内通路）の位置が解除位置（案内位置）になる［例えば上向きになる］ように回転台板が回転・停止したとき、回動体アクチュエータの作動によって回動体は第二位置に保持される一方、入賞口（案内通路）の位置が規制位置（退避位置）になる［例えば下向きになる］ように回転台板が回転・停止したとき、回動体は第一位置に保持されて遊技球の入賞が阻止される。これにより、入賞口（案内通路）の位置が規制位置（退避位置）にあるときに、不正行為により回動体に外力が加えられて入賞率が相対的に低くなる位置（第一位置）から高くなる位置（第二位置）に強制的に回動されても、遊技球の入賞を阻止して賞球の不正な獲得を防止することができる。このように、入賞口の開口態様と入賞口又は案内通路（玉樋）の位置変更とが互いに関連付けられていることによって、不正行為による賞球の不正獲得を阻止できる。なお、案内通路の位置変更においては、退避位置において検出センサが案内通路から離間するために入賞検知できなくなることによっても、不正行為による賞球の不正獲得を阻止できる。
【００１１】
また、入賞口（案内通路）の位置変更の際、規制位置（退避位置）と解除位置（案内位置）との回転角度範囲を調整して入賞率の高低変化に関与させることによって、遊技に対する興趣を高めることも可能となる。例えば、入賞口（案内通路）の解除位置（案内位置）を斜め上向きとして、回動体が第二位置に回動したときの入賞率を低めに設定することができる。
【００１２】
これらの遊技機用可変入賞装置において、
回動体と回動体アクチュエータとの間には、その回動体アクチュエータの駆動部の直線的な移動を回動体の回転移動に変換して伝達する回動体伝動機構を備え、
その回動体伝動機構は、回転台板に取り付けられた回動体とともに、台板アクチュエータによって一体的に回転することができる。
【００１３】
台板アクチュエータによって、入賞口（案内通路）の位置変更における規制位置（退避位置）と解除位置（案内位置）との回転角度範囲を容易に調整できる。このように、入賞口（案内通路）の回転角度範囲の調整を回動体の開口態様と関連付けて組み合わせ、入賞率の高低変化に反映させることにより、入賞率に格差を設けて興趣を一層高めることができる。なお、入賞口（案内通路）を規制位置（退避位置）と解除位置（案内位置）との間で回転変位させる台板アクチュエータとして、一般的にはステッピングモータ等の電動モータが用いられるが、ロータリソレノイド等を用いてもよい。また、直線的な移動により回動体を第一位置と第二位置との間で回動変位させる回動体アクチュエータとして、一般的にはソレノイドが用いられるが、リニアステッピングモータ等を用いてもよい。
【００１４】
そして、遊技機用可変入賞装置の一態様として、
回動体アクチュエータの駆動部は回転台板の回転軸線に沿って直線的に往復移動し、
回動体伝動機構は回転台板の回転面と平行状に配置された揺動軸線周りで揺動することができる。
【００１５】
回動体伝動機構が揺動移動することによって、回動体伝動機構はこじれ等を生じることなく回動体アクチュエータの直線的な運動を回動体の回動運動に効率よく変換し、回動体の開口態様を円滑に変化させることができる。
【００１６】
このとき、回動体アクチュエータの駆動部は、回転台板の回転軸線上を直線的に往復移動することができる。これによって、回動体伝動機構の構成を簡素化することができ、遊技機用可変入賞装置を小型化することができる。また、入賞口（案内通路）が周方向のどの位置で回転停止しても回動体の開口態様を変化（例えば回動体を第二位置に回動変位）させることができるので、入賞率の多様化を図ることができる。さらに、台板アクチュエータで回転台板（すなわち回動体及び入賞口）を回転させながら、回動体アクチュエータを作動させて回動体の開口態様を変化させることも可能となるので、例えば回動体に意外な動きを付与して演出効果を高めることができる。
【００１７】
その際、回転台板から盤面とは反対側へ突出し、回動体アクチュエータを周方向に囲む筒状のケース体が形成され、そのケース体は、回動体伝動機構の揺動軸を支持するとともに、回動体アクチュエータの駆動部に係合してその駆動部の周りに回転することが望ましい。これによって、回動体伝動機構の構成を一層簡素化することができる。また、回動体アクチュエータと回動体伝動機構とがケース体で囲まれることによって、回動体に対する不正行為を防止することができる。
【００１８】
円筒状のケース体の外周面に（従動）歯車の歯面が形成され、台板アクチュエータの出力軸に固定された駆動歯車と噛み合って回転する場合には、台板アクチュエータとの伝動構成もさらに小型化することができる。
【００１９】
また、回動体アクチュエータの駆動部は、回転台板の回転軸線と平行状に直線的に往復移動するようにしてもよい。これによって、回動体伝動機構の配置の自由度を高めて汎用化を図ることができる。
【００２０】
その際、回動体伝動機構には、回転台板の回転面と平行状に位置してその回転台板と一体的に回転する環状体が配置され、回転台板から盤面とは反対側へ突出する筒状のケース体が形成され、そのケース体は、回動体伝動機構の揺動軸と環状体とを支持するとともに、回動体アクチュエータの駆動部が半径方向外側から環状体の外周縁部に係合した状態で回転することが望ましい。これによって、回動体伝動機構の構成を一層簡素化することができる。また、回動体アクチュエータの駆動部が環状体に係合した状態で回転台板及び環状体が回転するので、入賞口（案内通路）の解除位置（案内位置）において回動体を第二位置に安定して変化させることができる。
【００２１】
具体的には、入賞口の位置が規制位置に存在する状態において、及び／又は案内通路の位置が退避位置に存在する状態において、回動体伝動機構の揺動軸を、回転台板の回転軸線と交差状にかつ回動体アクチュエータの駆動部の移動軸線と反対側の半径方向にオフセットして、環状体とともにケース体に支持することができる。これによって、入賞口に関する解除位置及び／又は案内通路に関する案内位置に回転台板が回転したとき、揺動軸線は移動軸線と同じ側にオフセットされる。したがって、回動体を第二位置に変位させる際に、揺動軸線（揺動軸）を中心とする回動体アクチュエータの駆動部のストロークが比較的小さくても回動体伝動機構の作用部（回動体）の変位量を相対的に大きくすることができる。
【００２２】
したがって、入賞口の位置が規制位置に存在する状態において、及び／又は案内通路の位置が退避位置に存在する状態において、回動体を第一位置から第二位置側へ強制的に回動させるための外力が加えられたとき、回動体伝動機構の揺動軸が回転台板の回転軸線を挟んで回動体アクチュエータの駆動部の移動軸線とは反対側に位置することによって、環状体の変位が抑制され、回動体アクチュエータの駆動部が移動するのを阻止することができる。このように、規制位置（退避位置）では、揺動軸が回転軸線を挟んで駆動部の移動軸線とは反対側に位置するので、環状体の変位を抑制し、ひいては駆動部の移動を阻止して不正行為を防止することができる。
【００２３】
なお、環状体が弾性高分子材料（プラスチック又はエラストマー）、特にシリコーン、ポリエチレン等の柔軟性を有する弾性材料で構成されていると、回動体アクチュエータの駆動部が励磁しその後消磁したとき、規制位置（退避位置）において回動体伝動機構（及び回動体）の全体を作動させることなく環状体のみが弾性（柔軟性）変形及び弾性（柔軟性）復帰することができる。同様に、規制位置（退避位置）において回動体に外力が加えられたときにも、環状体が変形して外力を吸収するように機能し、回動体アクチュエータ等の破損を防止する。
【００２４】
次に、遊技機用可変入賞装置の他の態様として、
回動体アクチュエータの駆動部は固定台板又は回転台板と平行状に半径方向に沿って直線的に往復移動し、
回動体伝動機構は固定台板又は回転台板（の盤面とは反対側の表面）に沿って半径方向に往復移動することができる。
【００２５】
回動体伝動機構が往復移動することによって、回動体伝動機構はこじれ等を生じることなく回動体アクチュエータの直線的な運動を回動体の回動運動に効率よく変換し、回動体の開口態様を円滑に変化させることができる。
【００２６】
このとき、入賞口の位置が解除位置に存在する状態において、及び／又は案内通路の位置が案内位置に存在する状態において、回動体アクチュエータの駆動部は回転台板の回転面と平行状に半径方向に沿って直線的に移動し、回動体伝動機構は回転台板の回転面に沿って半径方向に移動して、回動体を第二位置に回動することができる。このように、解除位置（案内位置）では、回動体伝動機構は回転台板の回転面に沿って半径方向に移動して、回動体を第二位置に回動するので、入賞口の開口態様を円滑に変更（開放）することができる。
【００２７】
また、回転台板の盤面とは反対側の回転面に沿って半径方向に往復移動可能な補助回動体伝動機構が配置され、入賞口の位置が解除位置に存在する状態において、及び／又は案内通路の位置が案内位置に存在する状態において、回動体アクチュエータの駆動部は固定台板と平行状に半径方向に沿って直線的に移動し、回動体伝動機構は固定台板の盤面とは反対側の表面に沿って半径方向に移動するとともに、補助回動体伝動機構は回動体伝動機構に連動して回転台板の回転面に沿って半径方向に移動して、回動体を第二位置に回動することができる。このように、解除位置（案内位置）では、回動体伝動機構は固定台板の回転面に沿って半径方向に移動し、補助回動体伝動機構は回動体伝動機構に連動して回転台板の回転面に沿って半径方向に移動して、回動体を第二位置に回動するので、入賞口の開口態様を円滑に変更（開放）することができる。なお、この場合、補助回動体伝動機構には、回動体を第一位置側に付勢するためにねじりコイルばね（トーションスプリング）等の付勢部材を設けることが望ましい。
【００２８】
そこで、上記課題を解決するために、本発明の遊技機は、
以上のような遊技機用可変入賞装置の固定台板が遊技盤に固定配置されたことを特徴とする。
【００２９】
これによって、不正行為による賞球の不正な獲得を防止できるとともに、興趣に富む盤面構成を有する遊技機を実現することができる。
【発明を実施するための最良の形態】
【００３０】
（実施例１）
以下、本発明の実施の形態を図面を参照しつつ説明する。図１は本発明に係る遊技機用可変入賞装置（以下、単に入賞装置ともいう）を備えたパチンコ機を例示する正面図、図２は本発明に係る入賞装置の一例を示し、通常時における平面図、正面図、側面図及び一部破断斜視図、図３はそのＡ−Ａ断面拡大図である。図１に示すように、パチンコ機１（遊技機）の遊技盤２の盤面２ａ（前面）には、ほぼ左半周が内外２本の発射レール２ｂによって区画され、全体としてほぼ円形の遊技領域２ｃが形成されている。遊技領域２ｃの中央には液晶表示部３が搭載され、液晶表示部３の右下方（遊技領域２ｃの右下部）に入賞装置４が配置されている。
【００３１】
図２に示すように、この入賞装置４は、遊技盤２に固定された円環状の固定台板１０と、固定台板１０の内周側に回転可能に保持された円形状の回転台板２０と、入賞口５の開口態様を変更する左右一対の回動翼片３０，３０（回動体）と、入賞口５に入賞した入賞球を導出案内する玉樋４０（案内通路）と、回転台板２０を回転駆動する電動モータ５０（台板アクチュエータ）と、回動翼片３０，３０を回動変位させるソレノイド６０（回動体アクチュエータ）と、回動翼片３０，３０とソレノイド６０との間に配置された左右一対の伝動アーム７０，７０（回動体伝動機構）とを備えている。
【００３２】
このうち固定台板１０は、遊技盤２の盤面２ａに前方側（遊技者側）から固定状態で取り付けられ、厚み方向に円形状の貫通孔１０ａが形成されている。また、固定台板１０には、遊技盤２の遊技球が入賞口５に入賞したことを検知するために、非接触式の検出センサである近接スイッチ１１（入賞球検出手段）が、後述する円筒状のハウジング１２を介して取り付けられている。
【００３３】
回転台板２０は、後述する一対の回動翼片３０，３０の間に形成されて遊技盤２上の遊技球を受け入れるための入賞口５を有するとともに、後述する玉樋４０を有する。また、回転台板２０は、固定台板１０の内周側においてその固定台板１０（遊技盤２）に交差（例えば直交）する回転軸線Ｏ１周りに回転可能に保持されている。そして、回転台板２０は、下向き角度範囲α（例えば鉛直線を挟んで下向きにα＝±１５°）において遊技球の入賞を規制する規制位置（図２（ｂ），図３参照）と、その残りの回転角度範囲のうち上向き角度範囲β（例えば鉛直線を挟んで上向きにβ＝±１５°）においてその入賞規制を解除する解除位置（図４（ａ），図５参照）との間で、入賞口５の位置を回転変更する。同時にこの回転台板２０は、下向き角度範囲α’（例えば鉛直線を挟んで下向きにα’＝α＝±１５°）において入賞球の案内を中止する退避位置（図２（ｂ），図３参照）と、その残りの回転角度範囲のうち上向き角度範囲β’（例えば鉛直線を挟んで上向きにβ’＝β＝±１５°）においてその案内中止を解除する案内位置（図４（ａ），図５参照）との間で、玉樋４０の位置を回転変更する。
【００３４】
一対の回動翼片３０，３０は、回転台板２０（遊技盤２）に交差（例えば直交）し回転軸線Ｏ１と平行状の一対の回動軸線Ｏ２，Ｏ２周りにそれぞれ回動可能に取り付けられている。この回動翼片３０，３０は、遊技球の入賞率が相対的に低くなる（すなわち入賞困難な）第一位置（閉鎖位置；図２，図３参照）と、入賞率が相対的に高くなる（すなわち入賞容易な）第二位置（開放位置；図６参照）との間で回動することによって、入賞口５の開口態様を変更する。
【００３５】
図３に示すように、玉樋４０は、回転台板２０から回動翼片３０，３０（入賞口５）の前方に突出形成される前側装飾部２５の底壁２５ａと、回転台板２０に形成される通過孔２０ａとに一体的かつ連続的に接続され、後方側に延出されている。この玉樋４０は、上記した案内位置において、入賞口５に入賞した入賞球を近接スイッチ１１に案内する（図５参照）。
【００３６】
図２に戻り、電動モータ５０は、固定台板１０から後方側（盤面２ａとは反対側）に延出形成された円筒状で有底のハウジング１２の外端面（底部外面）に固定支持され、回転台板２０を上記した規制位置（退避位置；図２，図３参照）と解除位置（案内位置；図４，図５参照）との間で回転駆動する。ソレノイド６０は、固定台板１０から延出するハウジング１２の内端面（底部内面）に固定支持され、回動翼片３０，３０を第一位置（図２，図３参照）と第二位置（図６参照）との間で回動変位させる。このとき、ソレノイド６０のプランジャ６１は、回転台板２０の回転軸線Ｏ１上を直線的に往復移動する。すなわち、プランジャ６１の移動方向は回転台板２０の回転軸線Ｏ１と一致している。
【００３７】
一対の伝動アーム７０，７０は、ソレノイド６０のプランジャ６１（駆動部）の直線的な移動を回動翼片３０，３０の回転移動に変換して伝達する。このとき、伝動アーム７０は回転台板２０の回転面と平行状に配置された揺動軸線Ｏ３周りで揺動する。また、伝動アーム７０，７０は、回転台板２０に取り付けられた回動翼片３０，３０とともに、電動モータ５０によって一体的に回転する。
【００３８】
さらに、回転台板２０から後方側（盤面２ａとは反対側）に延出して、ソレノイド６０を周方向に囲む円筒状のケーシング２１（ケース体）が形成されている。ケーシング２１は伝動アーム７０の揺動軸７１（揺動軸線Ｏ３）を支持するとともに、ソレノイド６０のプランジャ６１に係合してそのプランジャ６１の周りに回転する。そして、円筒状のケーシング２１の外周面に歯車２２の歯面が形成されていて、電動モータ５０の出力軸５１に固定された駆動歯車５２と噛み合って回転する。
【００３９】
ここで、ソレノイド６０及び一対の伝動アーム７０，７０による一対の回動翼片３０，３０（入賞口５）の開口態様の変更について、図３によってさらに具体的に説明する。一対の回動翼片３０，３０は、回転台板２０と前側装飾部２５とに保持された平行な一対の回動軸２３，２３の回動軸線Ｏ２，Ｏ２周りにそれぞれ回動可能に支持されている。他方、一対の伝動アーム７０，７０は、その中間部において両外側に突出形成されてケーシング２１に支持された揺動軸７１，７１の揺動軸線Ｏ３周りにそれぞれ回動可能に支持されている。そして、伝動アーム７０，７０の前端部に形成された先端二股状の作用部７２，７２が回動翼片３０，３０から後方に突出する突出部３１，３１とそれぞれ係合している。また、伝動アーム７０，７０の後端部において両内側にそれぞれ突出形成された突起７３，７３がプランジャ６１の先端部に一体形成された前後一対のプランジャヘッド６２，６２（フランジ部）の間にそれぞれ係合している。ソレノイド６０のプランジャ６１には、プランジャヘッド６２を前方側に押圧付勢するための圧縮コイルばね６３（付勢部材）が介装されている。
【００４０】
したがって、ソレノイド６０が消磁（非通電）されているときには、圧縮コイルばね６３の付勢力によりプランジャ６１は突出する。これによって、伝動アーム７０，７０は揺動軸７１，７１の揺動軸線Ｏ３周りに図２（ｄ）の反時計方向に回転し、その作用部７２，７２が回動翼片３０，３０の突出部３１，３１を押し下げる。その結果、回動翼片３０，３０は回動軸２３，２３の回動軸線Ｏ２，Ｏ２周りに回動して、図３に示す第一位置に変位する。
【００４１】
次に、ソレノイド６０が励磁（通電）されると、圧縮コイルばね６３の付勢力に抗してプランジャ６１が引込まれる。これによって、伝動アーム７０，７０は揺動軸７１，７１の揺動軸線Ｏ３周りに図２（ｄ）の時計方向に回転し、その作用部７２，７２が回動翼片３０，３０の突出部３１，３１を押し上げる。その結果、回動翼片３０，３０は回動軸２３，２３の回動軸線Ｏ２，Ｏ２周りに回動して、第二位置に変位する。
【００４２】
したがって、電動モータ５０の駆動回転によって入賞口５の位置が解除位置になるように、かつ玉樋４０の位置が案内位置になるように回転台板２０が回転・停止したとき（図４，図５参照）、ソレノイド６０の作動（励磁）によって回動翼片３０，３０は第二位置に保持される（図６参照）。一方、電動モータ５０の駆動回転によって入賞口５の位置が規制位置になるように、かつ玉樋４０の位置が退避位置になるように回転台板２０が回転・停止したとき、ソレノイド６０の作動（消磁）によって回動翼片３０，３０は第一位置に保持される（図２，図３参照）。
【００４３】
図２に戻り、入賞口５の規制位置（玉樋４０の退避位置）や解除位置（案内位置）を規定する角度範囲α（α’），β（β’）は、ハウジング１２に固定されたフォトセンサ５３（回転停止位置検出器）によって規制されている。すなわち、フォトセンサ５３が電動モータ５０による回転台板２０（ケーシング２１）の回転位置を検出することにより、入賞口５（玉樋４０）の回転停止位置を制御している。
【００４４】
この実施例では、ソレノイド６０のプランジャ６１は、回転台板２０の回転軸線Ｏ１上を直線的に往復移動する（すなわち、プランジャ６１の移動方向は回転台板２０の回転軸線Ｏ１と一致する）ために、回転台板２０がどの回転位置にあってもプランジャ６１を引込み可能である。
【００４５】
なお、回転台板２０には、固定台板１０から前方側に向けて突出形成された固定壁１３に対応させて、入賞口５の上方を屋根状に覆って入賞率を調整するための遮蔽体２４が、前方側に向けて一体的に突出形成されている。また、前側装飾部２５には、一対の回動翼片３０，３０を象った二対の擬似翼片２５ｂが、半径方向外側に向けて一体的に突出形成されている。これら遮蔽体２４と擬似翼片２５ｂとは省略してもよい。
【００４６】
次に、図２〜図１０を用いて、このような入賞装置４の作動について具体的に説明する。
【００４７】
＜通常時＞（図２，図３）
通常時（通常遊技時）には、入賞口５の位置が規制位置（下向き角度範囲α）になるように、かつ玉樋４０の位置が退避位置（下向き角度範囲α’＝α）になるように、回転台板２０が停止している。このとき、ソレノイド６０は消磁（非通電）されているので、圧縮コイルばね６３の付勢力によりプランジャ６１は突出する。したがって、伝動アーム７０，７０の回転作動を介して、回動翼片３０，３０は回動軸２３，２３の回動軸線Ｏ２，Ｏ２周りに回動し、図３に示す第一位置（閉鎖位置）に変位している。このように、通常時においては入賞口５が下向きの規制位置にあるので、不正行為による賞球の不正獲得が防止される。また、玉樋４０も上方の退避位置にあるので、検出センサ１１の賞球検知に基づく賞球払出がなされなくなる。
【００４８】
＜回転終了時＞（図４，図５）
次に、電動モータ５０の駆動回転により、駆動歯車５２と歯車２２との噛み合いを介してケーシング２１（回転台板２０）が回転する。フォトセンサ５３の回転検出により、入賞口５の位置が解除位置（上向き角度範囲β）になるように、かつ玉樋４０の位置が案内位置（上向き角度範囲β’＝β）になるように、電動モータ５０の回転が制御され、回転台板２０が停止する。
【００４９】
＜大当たり状態＞（図５，図６）
このとき、ソレノイド６０が励磁（通電）されると、圧縮コイルばね６３の付勢力に抗してプランジャ６１が引込まれる。これによって、伝動アーム７０，７０は揺動軸７１，７１の揺動軸線Ｏ３周りに図５の反時計方向に回転し、その作用部７２，７２が回動翼片３０，３０の突出部３１，３１を押し下げる。その結果、回動翼片３０，３０は回動軸２３，２３の回動軸線Ｏ２，Ｏ２周りに回動して、図６に示す第二位置（開放位置）に変位する。したがって、図６は大当たり状態として利用できる。
【００５０】
＜不正防止状態＞（図２，図７）
図２の通常時において、不正行為により回動翼片３０，３０に外力Ｆが加えられ、図７に示すように第一位置（閉鎖位置）から第二位置（開放位置）に強制的に回動されても、入賞口５が下向きの規制位置にあり、玉樋４０が上方の退避位置にある状況は変わらないので、不正行為による賞球の不正獲得が防止される。
【００５１】
＜回転途中状態＞（図２，図８）
図２の通常時から図４の回転終了に至る途中において、例えば回転台板２０が正面視で反時計回りに約９０°回転した状態では、図８（ｂ）に示すように、伝動アーム７０がソレノイド６０のプランジャ６１（回転軸線Ｏ１）を中心として約９０°変位した状態にある。このとき、ソレノイド６０は消磁（非通電）されているので、回動翼片３０，３０は第一位置（閉鎖位置）に保持されている。
【００５２】
＜演出作動状態＞（図８，図９）
フォトセンサ５３の回転検出により、図８の回転途中状態で電動モータ５０（回転台板２０）の回転を停止させ、ソレノイド６０を励磁（通電）させると、回動翼片３０，３０は図９に示す第二位置（開放位置）に変位する。図９では、入賞口５は真横に開口しているので入賞率は極めて低い状態（入賞困難な状態）であるが、回動翼片３０，３０を図８の第一位置と図９の第二位置とに交互に変位させることにより、演出効果を付与して興趣を向上させることができる。なお、このとき電動モータ５０によって回転台板２０を回転軸線Ｏ１周りで回転させながら、回動翼片３０，３０を図８の第一位置と図９の第二位置とに交互に変位させてもよい。このように、入賞口５（又は玉樋４０）の回転移動と回動翼片３０，３０の回動とを並行して（同時に）実行することによって、演出上の効果を付与して興趣をさらに高めることができる。
【００５３】
＜入賞率調整状態＞（図６，図１０）
フォトセンサ５３の回転検出により、図２に示す下向き角度範囲α（α’）及び図４に示す上向き角度範囲β（β’）を除く回転角度範囲において、電動モータ５０（回転台板２０）の回転を停止させ、ソレノイド６０を励磁（通電）させる。これによって、入賞口５が斜めを向いた状態で回動翼片３０，３０を第二位置（開放位置）に変位させることができる。例えば、図６に示す大当たり状態の少し（例えば約３０°）手前で電動モータ５０の回転を停止させて、回動翼片３０，３０を第二位置（開放位置）に変位させることにより、図１０に示すように入賞率の高低を調整することができる。
【００５４】
（変形例）
図１１に図２（実施例１）の変形例を示す。図１１の固定台板１０には、図２（ｂ）に示す下向き角度範囲α（α’）及び図４（ａ）に示す上向き角度範囲β（β’）を除く回転角度範囲において、回転台板２０の外周縁に沿って前方に突出する防護壁２６が立設されている。このように、回転台板２０の外側に防護壁２６を配置することにより、例えば図１０のように、下向き角度範囲α（α’）及び上向き角度範囲β（β’）を除く回転角度範囲においても入賞口５への入賞を可能とする場合でも、回動翼片３０，３０に対する不正行為を防止することができる。
【００５５】
（実施例２）
図１２は本発明に係る遊技機用可変入賞装置（以下、単に入賞装置ともいう）の他の例を示し、通常時における斜視図及び側面図で表わされる。図１２に示す入賞装置１０４では、実施例１（図１〜図１１）に次のような変更が加えられている。
【００５６】
ソレノイド６０（回動体アクチュエータ）のプランジャ６１（駆動部）は、回転台板２０と直結された電動モータ５０（台板アクチュエータ）の出力軸５１（回転軸線Ｏ１）と平行な移動軸線Ｏ４上を直線的に往復移動する。また、伝動アーム７０（回動体伝動機構）には、回転台板２０の回転面と平行状に位置して、その回転台板２０と一体的に回転する回転リング７４（環状体）が配置されている。この回転リング７４は、シリコーン、ポリエチレン等の柔軟性を有する弾性材料で構成されている。さらに、回転台板２０から後方側（盤面２ａとは反対側）に延出して、電動モータ５０の出力軸５１を周方向に包む角筒状のケーシング１２１（ケース体）が形成されている。このケーシング１２１は、伝動アーム７０の揺動軸７１（揺動軸線Ｏ３）と回転リング７４とを支持するとともに、ソレノイド６０のプランジャ６１の先端部に一体形成された前後一対のプランジャヘッド６２，６２（フランジ部）が、半径方向外側から回転リング７４の外周縁部に係合した状態で回転する。
【００５７】
次に、図１２〜図１６を用いて、このような入賞装置１０４の作動について具体的に説明する。
【００５８】
＜通常時＞（図１２，図２）
通常時（通常遊技時）には、伝動アーム７０の揺動軸７１（揺動軸線Ｏ３）は、回転台板２０の回転軸線Ｏ１と交差状にかつ移動軸線Ｏ４と反対側の半径方向にオフセットして、回転リング７４とともにケーシング１２１に支持されている。つまり、揺動軸線Ｏ３は回転軸線Ｏ１を挟んで移動軸線Ｏ４と反対側にオフセットされ、このオフセット位置は、入賞口５に関する規制位置及び玉樋４０（案内通路）に関する退避位置（図２（ｂ）参照）が設定される側である。このとき、ソレノイド６０は消磁（非通電）されているので、回動翼片３０，３０（回動体）は第一位置（閉鎖位置）に変位している（図２（ｂ）参照）。
【００５９】
＜回転終了時＞（図１３，図４）
次に、電動モータ５０の駆動回転によりケーシング１２１（回転台板２０）が回転し、入賞口５に関する解除位置及び玉樋４０に関する案内位置（図４（ａ）参照）にて回転を停止する。このとき、揺動軸線Ｏ３（揺動軸７１）は回転軸線Ｏ１を挟んで移動軸線Ｏ４と同じ側にオフセットされている。
【００６０】
＜大当たり状態＞（図１４，図１５）
この状態から、ソレノイド６０が励磁（通電）されると、圧縮コイルばね６３の付勢力に抗してプランジャ６１が引込まれる。これによって、回転リング７４を介して伝動アーム７０，７０は揺動軸７１，７１の揺動軸線Ｏ３周りに図１４（ｂ）の反時計方向に回転し、その作用部７２，７２が回動翼片３０，３０の突出部３１，３１を押し上げる。その結果、回動翼片３０，３０は回動軸２３，２３の回動軸線Ｏ２，Ｏ２周りに回動して、図１４に示す第二位置（開放位置；図６参照）に変位する。したがって、図１４は大当たり状態として利用できる。
【００６１】
＜回転終了から大当たり状態への移行時＞（図１５）
すでに説明したように、図１３の回転終了から図１４の大当たり状態へ移行するとき、揺動軸線Ｏ３（揺動軸７１）は回転軸線Ｏ１を挟んで移動軸線Ｏ４と同じ側にオフセットしている。図１５に示すように、このオフセットの位置関係と、回転リング７４を介して伝動アーム７０を作動させることによって、回動翼片３０，３０を第二位置（開放位置）に変位させる際に、揺動軸線Ｏ３（揺動軸７１）を中心とするプランジャ６１のストロークが比較的小さくても、伝動アーム７０の作用部７２（回動翼片３０，３０）の変位量を相対的に大きくすることができる。
【００６２】
＜通常時における不正防止＞（図１６）
図１２に示す通常時において、不正行為により回動翼片３０，３０を第一位置（閉鎖位置）から第二位置（開放位置）側へ強制的に回動させるための外力Ｆが加えられた場合、入賞口５が下向きの規制位置にあり、玉樋４０が上方の退避位置にあることにより、不正行為による賞球の不正獲得が防止される。また、揺動軸線Ｏ３（揺動軸７１）は回転軸線Ｏ１を挟んで移動軸線Ｏ４と反対側にオフセットされているので、伝動アーム７０の作用部７２（回動翼片３０）の変位量自体が相対的に小さくなっている。それに加えてこの実施例では、ハウジング１２にソレノイド６０のプランジャ６１、回転リング７４及び伝動アーム７０の移動を停止させるためのストッパ１４（阻止部材）がハウジング１２に形成されている。すなわち、図１６において、外力Ｆにより回動翼片３０の突出部３１が下方に移動し、伝動アーム７０及び回転リング７４が揺動軸線Ｏ３（揺動軸７１）を中心として時計回りに回動しようとする。ところが、プランジャヘッド６２（フランジ部）の先端面がストッパ１４に当接するので、回動翼片３０の第一位置（閉鎖位置）から第二位置（開放位置）への移動が阻止される。
【００６３】
＜通常時における開放停止＞（図１７）
図１２に示す通常時において、仮にソレノイド６０が励磁された場合を想定する。この場合、回動翼片３０の移動量を制限するために回転台板２０に形成された係止孔２０ｂ（係止凹部）に突出部３１が当接し、回動翼片３０の第一位置（閉鎖位置）から第二位置（開放位置）への移動が阻止されている。したがって、ソレノイド６０が励磁されプランジャ６１が引込まれても、回転リング７４及び伝動アーム７０は回動しない。そして図１７に示すように、柔軟性を有する回転リング７４が弾性変形して撓むので、プランジャ６１の引込力を吸収し、ソレノイド６０、回動翼片３０等の破損を防止している。また、制御系の誤作動によりあるいは不正信号入力により、通常時においてソレノイド６０を励磁させるための制御信号が発せられた場合であっても、これらによる被害を未然に又は最小限に食い止めることも可能となる。
【００６４】
実施例２（図１２〜図１７）において実施例１（図１〜図１１）と共通の機能を有する部分には同一符号を付して説明を省略する。
【００６５】
（実施例３）
図１８は本発明に係る遊技機用可変入賞装置（以下、単に入賞装置ともいう）のさらに他の例を示し、通常時における斜視図、側面断面図及び背面図で表わされる。図１８に示す入賞装置２０４では、実施例１（図１〜図１１）に次のような変更が加えられている。
【００６６】
ソレノイド２６０（回動体アクチュエータ）のプランジャ２６１（駆動部）は、回転台板２２０と直結された電動モータ５０（台板アクチュエータ）の出力軸５１（回転軸線Ｏ１）と交差（例えば直交）する移動軸線Ｏ４上を直線的に往復移動する。具体的には、有底円筒状に形成された回転台板２２０の周壁部２２１に円形蓋状の固定台板２１０が相対回転可能に被せられ、回転台板２２０の底面部２２２を前方側（遊技者側）として固定台板２１０が遊技盤２（図１参照）に固定されている。固定台板２１０に電動モータ５０とソレノイド２６０とが搭載され、電動モータ５０の出力軸５１は固定台板２１０を貫通して、回転台板２２０の底面部２２２の内面（後面）から後方へ向けて膨出するボス部２２３に直結されている。ソレノイド２６０のプランジャ２６１は、固定台板２１０と平行状に半径方向に沿って直線的に往復移動する。
【００６７】
回転台板２２０と固定台板２１０との間には、回転台板２２０の円筒状の周壁部２２１の周方向の一部を構成する外周部２７１と、回転台板２２０の底面部２２２内面（回転面）と平行な面板部２７２とを有する伝動枠２７０（回動体伝動機構）が配置されている。伝動枠２７０は、ソレノイド２６０のプランジャ２６１の移動軸線Ｏ４上での直線的な移動を一対の回動翼片３０，３０（回動体）の回動軸線Ｏ２周りの回転移動に変換して伝達する。プランジャ２６１の先端部に形成される一対のプランジャヘッド２６２（フランジ部）の間に伝動枠２７０の外周部２７１が挟み込まれており、伝動枠２７０の面板部２７２は回転台板２２０の底面部２２２内面に沿って半径方向に往復移動する。
【００６８】
回動翼片３０の突出部３１は、回転台板２２０の底面部２２２に貫通形成された長孔形状の係止孔２２２ａ（係止凹部；図１９（ｂ）参照）と、伝動枠２７０の面板部２７２に貫通形成された楕円形状の挿通孔２７２ａとに挿通されている。また、伝動枠２７０の面板部２７２には、移動軸線Ｏ４方向に沿って複数（例えば３個）の長孔形状又は切欠形状のガイド孔２７２ｂ（伝動枠側係合部）が貫通形成され、回転台板２２０の底面部２２２内面側に立設されたガイドピン２２２ｂ（回転台板側係合部）がそれぞれ挿通されている。なお、伝動枠側係合部としてのガイド孔と、回転台板側係合部としてのガイドピンとは相互に入れ替えて適用することができる。
【００６９】
次に、図１８〜図２０を用いて、このような入賞装置２０４の作動について具体的に説明する。
【００７０】
＜通常時＞（図１８，図２）
通常時（通常遊技時）には、入賞口５が規制位置に存在し、玉樋４０（案内通路）が退避位置に存在する状態（図２（ｂ）参照）に保持されている。このとき、ソレノイド２６０は消磁（非通電）されているので、回動翼片３０，３０（回動体）は第一位置（閉鎖位置）に変位している（図２（ｂ）参照）。
【００７１】
＜回転終了時＞（図１９，図４）
次に、電動モータ５０の駆動回転により回転台板２２０が回転し、入賞口５に関する解除位置及び玉樋４０に関する案内位置（図４（ａ）参照）にて回転を停止する。このとき、回転台板２２０の外周部２２１は一対のプランジャヘッド２６２，２６２の間に位置している。
【００７２】
＜大当たり状態＞（図２０）
この状態から、ソレノイド２６０が励磁（通電）されると、圧縮コイルばね２６３（付勢部材）の付勢力に抗してプランジャ２６１が引込まれる。それと連動して伝動枠２７０は、面板部２７２のガイド孔２７２ｂが回転台板２２０のガイドピン２２２ｂをガイドとし、外周部２２１がプランジャヘッド２６２で押し下げられて、移動軸線Ｏ４方向に移動する。これによって、回動翼片３０，３０は回動軸線Ｏ２（回動軸２３）周りに回動して第二位置（開放位置）に変位する。したがって、図２０は大当たり状態として利用できる。
【００７３】
＜通常時における不正防止＞（図１８）
図１８に示す通常時において、不正行為により回動翼片３０，３０を第一位置（閉鎖位置）から第二位置（開放位置）側へ強制的に回動させるための外力が加えられた場合、入賞口５が下向きの規制位置にあり、玉樋４０が上方の退避位置にあることにより、不正行為による賞球の不正獲得が防止される。
【００７４】
実施例３（図１８〜図２０）において実施例１（図１〜図１１）と共通の機能を有する部分には同一符号を付して説明を省略する。
【００７５】
（実施例４）
図２１は本発明に係る遊技機用可変入賞装置（以下、単に入賞装置ともいう）のさらに別の例を示し、通常時における背面図で表わされる。図２１に示す入賞装置３０４では、実施例３（図１８〜図２０）に次のような変更が加えられている。
【００７６】
伝動枠２７０’（回動体伝動機構）は固定台板２１０に沿って半径方向に往復移動するとともに、回転台板２２０の底面部２２２内面（回転面）に沿って半径方向に往復移動可能な補助伝動枠３７０（補助回動体伝動機構）が配置され、伝動枠２７０’と連動して変位する。具体的には、ソレノイド２６０（回動体アクチュエータ）のプランジャ２６１（駆動部）の先端部に形成される一対のプランジャヘッド２６２（フランジ部）の間に伝動枠２７０’の鍔部２７１’が挟み込まれており、伝動枠２７０’の面板部２７２は回転台板２２０の底面部２２２内面に沿って半径方向に往復移動する。そして、入賞口５に関する解除位置及び玉樋４０に関する案内位置（図２２，図４参照）において、固定台板２１０側に位置する伝動枠２７０’の内周面と回転台板２２０の底面部２２２側に位置する補助伝動枠３７０の外周面とが近接又は接触（接当）するように配置されている。
【００７７】
回動翼片３０の突出部３１は、回転台板２２０の底面部２２２に貫通形成された長孔形状の係止孔２２２ａ（係止凹部）に挿通されるとともに、補助伝動枠３７０の内端面と常時接触（接当）するように配置されている。伝動枠２７０’には、移動軸線Ｏ４方向に沿って複数（例えば２個）の長孔形状又は切欠形状のガイド孔２７２ｂ’（伝動枠側係合部）が貫通形成され、固定台板２１０に立設されたガイドピン２１０ｂ（固定台板側係合部）がそれぞれ挿通されている。また、補助伝動枠３７０には、移動軸線Ｏ４方向に沿って複数（例えば２個）の長孔形状又は切欠形状のガイド孔３７０ｂ（補助伝動枠側係合部）が貫通形成され、回転台板２２０の底面部２２２に立設されたガイドピン２２２ｂ（回転台板側係合部）がそれぞれ挿通されている。なお、伝動枠側係合部（又は補助伝動枠側係合部）としてのガイド孔と、固定台板側係合部（又は回転台板側係合部）としてのガイドピンとは相互に入れ替えて適用することができる。
【００７８】
図２２に示すように、補助伝動枠３７０には、回動翼片３０，３０（回動体）を第一位置（閉鎖位置）側すなわち戻し側に付勢するためにねじりコイルばね３７１（付勢部材）を設けてある。具体的には、ねじりコイルばね３７１は、回転台板２２０の底面部２２２に立設された固定ピン２２２ｃと、回動翼片３０，３０の突出部３１，３１との間に掛け渡されている。
【００７９】
次に、図２１〜図２３を用いて、このような入賞装置３０４の作動について具体的に説明する。
【００８０】
＜通常時＞（図２１，図２）
通常時（通常遊技時）には、入賞口５が規制位置に存在し、玉樋４０（案内通路）が退避位置に存在する状態（図２（ｂ）参照）に保持されている。このとき、ソレノイド２６０は消磁（非通電）されているので、回動翼片３０，３０（回動体）は第一位置（閉鎖位置）に変位している（図２（ｂ）参照）。
【００８１】
＜回転終了時＞（図２２，図４）
次に、電動モータ５０の駆動回転により回転台板２２０が回転し、入賞口５に関する解除位置及び玉樋４０に関する案内位置（図４（ａ）参照）にて回転を停止する。このとき、伝動枠２７０’の内周面と補助伝動枠３７０の外周面とが対向位置している。
【００８２】
＜大当たり状態＞（図２３）
この状態から、ソレノイド２６０が励磁（通電）されると、圧縮コイルばね２６３（付勢部材）の付勢力に抗してプランジャ２６１が引込まれる。それと連動して伝動枠２７０’は、面板部２７２のガイド孔２７２ｂ’が固定台板２１０のガイドピン２１０ｂをガイドとし、鍔部２７１’がプランジャヘッド２６２で押し下げられて、移動軸線Ｏ４方向に移動する。伝動枠２７０’の内周面で補助伝動枠３７０の外周面が押され、補助伝動枠３７０は、ガイド孔３７０ｂが回転台板２２０の底面部２２２のガイドピン２２２ｂをガイドとして、半径方向内側に移動する。これによって、回動翼片３０，３０は回動軸線Ｏ２（回動軸２３）周りに回動して第二位置（開放位置）に変位する。したがって、図２０は大当たり状態として利用できる。
【００８３】
＜通常時における不正防止＞（図２１）
図２１に示す通常時において、不正行為により回動翼片３０，３０を第一位置（閉鎖位置）から第二位置（開放位置）側へ強制的に回動させるための外力が加えられた場合、入賞口５が下向きの規制位置にあり、玉樋４０が上方の退避位置にあることにより、不正行為による賞球の不正獲得が防止される。
【００８４】
実施例３（図２１〜図２３）において実施例３（図１８〜図２０）と共通の機能を有する部分には同一符号を付して説明を省略する。
【００８５】
なお、本発明において入賞率の高低を比較対照する場合、入賞率は０％から１００％までを含む。
【図面の簡単な説明】
【００８６】
【図１】本発明に係る入賞装置を備えたパチンコ機を例示する正面図。
【図２】本発明に係る入賞装置の一例を示し、通常時における平面図、正面図、側面図及び一部破断斜視図。
【図３】図２（ｂ）のＡ−Ａ断面拡大図。
【図４】回転終了時における正面図、一部省略側面図及び一部破断斜視図。
【図５】図４（ａ）のＢ−Ｂ断面拡大図。
【図６】図４に続く大当たり状態における正面図、一部省略側面図及び一部破断斜視図。
【図７】図２の通常時において不正行為が行われたときの状況を示す正面図、一部省略側面図及び一部破断斜視図。
【図８】回転途中における一部省略平面図、正面図及び一部省略側面図。
【図９】図８に続いて演出作動を行う場合の一部省略平面図、正面図及び一部省略側面図。
【図１０】回転途中停止による入賞率調整を示す要部の斜視図及び正面図。
【図１１】図２の変形例を示す要部の斜視図及び正面図。
【図１２】本発明に係る入賞装置の他の例を示し、通常時における斜視図及び側面図。
【図１３】回転終了時における斜視図及び側面図。
【図１４】図１３に続く大当たり状態における斜視図及び側面図。
【図１５】図１３の回転終了から図１４の大当たり状態への移行時の作動状況を示す側面説明図。
【図１６】図１２の通常時における開放停止状況を示す側面説明図。
【図１７】図１２の通常時における不正行為の防止状況を示す側面説明図。
【図１８】本発明に係る入賞装置のさらに他の例を示し、通常時における斜視図、側面断面図及び一部省略背面図。
【図１９】回転終了時における斜視図及び一部省略背面図。
【図２０】図１９に続く大当たり状態における斜視図及び一部省略背面図。
【図２１】本発明に係る入賞装置のさらに別の例を示し、通常時における一部省略背面図。
【図２２】回転終了時における側面断面図及び一部省略背面図。
【図２３】図２２に続く大当たり状態における一部省略背面図。
【符号の説明】
【００８７】
１          パチンコ機（遊技機）
２          遊技盤
２ａ        盤面
４          入賞装置（遊技機用可変入賞装置）
５          入賞口
１０        固定台板
１０ａ      貫通孔
１１        近接スイッチ（検出センサ；入賞球検出手段）
２０        回転台板
２０ａ      通過孔
２３        回動軸
３０        回動翼片（回動体）
３１        突出部
４０        玉樋（案内通路）
５０        電動モータ（台板アクチュエータ）
５１        出力軸
６０        ソレノイド（回動体アクチュエータ）
６１        プランジャ（駆動部）
６２        プランジャヘッド（フランジ部）
６３        圧縮コイルばね（付勢部材）
７０        伝動アーム（回動体伝動機構）
７１        揺動軸
７２        作用部
７４        回転リング（環状体）
Ｏ１        回転軸線
Ｏ２        回動軸線
Ｏ３        揺動軸線
Ｏ４        移動軸線
【図１】
2008142193.tif 000003
【図２】
2008142193.tif 000004
【図３】
2008142193.tif 000005
【図４】
2008142193.tif 000006
【図５】
2008142193.tif 000007
【図６】
2008142193.tif 000008
【図７】
2008142193.tif 000009
【図８】
2008142193.tif 000010
【図９】
2008142193.tif 000011
【図１０】
2008142193.tif 000012
【図１１】
2008142193.tif 000013
【図１２】
2008142193.tif 000014
【図１３】
2008142193.tif 000015
【図１４】
2008142193.tif 000016
【図１５】
2008142193.tif 000017
【図１６】
2008142193.tif 000018
【図１７】
2008142193.tif 000019
【図１８】
2008142193.tif 000020
【図１９】
2008142193.tif 000021
【図２０】
2008142193.tif 000022
【図２１】
2008142193.tif 000023
【図２２】
2008142193.tif 000024
【図２３】
2008142193.tif 000025